(57)【要約】      （修正有）【課題】観戦の邪魔にならず、しかも手荷物を汚すことがない荷物収納具を提供する。【解決手段】裏面にすべり止め用のゴム片を取り付けると共に、縁部に後記収納部材を吊り下げるための係止部１１を設けた布体１０と、係止部に着脱自在に取り付け可能な取り付け部を、縁部に設けた布状の収納部材とにより構成した。また、係止部をリング状部材として構成し、取り付け部がホックやスナップ等の掛止具を備えたものとして構成した。さらに、係止部及び取り付け部を面状ファスナで構成した。布体表面に応援対象の文字やロゴ等の応援デザイン１５を記載して構成した。【選択図】図１
0003183643.tif 000002
【実用新案登録請求の範囲】
【請求項１】
裏面にすべり止め用のゴム片（１４）を取り付けると共に、縁部に後記収納部材（２０）を吊り下げるための係止部（１１）を設けた布体（１０）と、
前記係止部（１１）に着脱自在に取り付け可能な取り付け部（２２）を、縁部に設けた布状の収納部材（２０）と、
により成る荷物収納具。
【請求項２】
係止部（１１）がリング状部材（１２）であり、取り付け部（２２）がホックやスナップ等の掛止具（２３），（２４）を備えて成るものである、請求項１に記載の荷物収納具。
【請求項３】
係止部（１１）及び取り付け部（２２）を面状ファスナ（１３），（２５）で形成した請求項１に記載の荷物収納具。
【請求項４】
布体（１０）表面に応援対象の文字やロゴ等の応援デザイン（１５）を記載した、請求項１乃至３いずれかに記載の荷物収納具。
【考案の詳細な説明】
【技術分野】
【０００１】
本考案は、座席の下部に荷物を吊り下げることを可能とする収納具に関し、より詳しくはスポーツ観戦等の際に好適な荷物吊下具に関する。
【背景技術】
【０００２】
特許文献１には、椅子の座面を被覆可能な座布団状の被覆体と、荷物を収納可能な収納具と、当該収納具を被覆体に吊下可能な保持部材とにより成る、椅子取り付け用収納具が開示されている。
【０００３】
特許文献２には、ベルトを座席面に這わせ、当該ベルトと連結される網を座席下方に備える、椅子に取り付け可能な携帯網棚が開示されている。
【先行技術文献】
【特許文献】
【０００４】
【特許文献１】特開２００９−１８９４１９号公報
【特許文献２】特開２００３−２２５１５５号公報
【考案の概要】
【考案が解決しようとする課題】
【０００５】
昨今のスポーツイベント等の観客は、座席に座ったまま静かに観戦するといったことは少なく、立上り、飛び跳ね、その他激しく動きながら観戦することが多い。それゆえ、手荷物を足元に置いておくと邪魔になりやすい。そもそも、手荷物を地面に置くと汚れてしまうという難点もある。
【０００６】
そこで本考案は観戦の邪魔にならず、しかも手荷物を汚すことがない荷物収納具を提供することを目的とする。
【０００７】
更には、応援グッズにもなり得る荷物吊下具を提供することを目的とする。
【課題を解決するための手段】
【０００８】
上記の目的を達成する本発明の構成は次の通りである。
【０００９】
（１）  請求項１に記載の考案は、裏面にすべり止め用のゴム片を取り付けると共に、縁部に後記収納部材を吊り下げるための係止部を設けた布体と、前記係止部に着脱自在に取り付け可能な取り付け部を、縁部に設けた布状の収納部材とにより構成した。
【００１０】
（２）  請求項２に記載の考案は、請求項１に記載の荷物吊下具において、係止部をリング状部材として構成し、取り付け部がホックやスナップ等の掛止具を備えたものとして構成した。
【００１１】
（３）  請求項３に記載の考案は、請求項１に記載の荷物吊下具において、係止部及び取り付け部を面状ファスナで構成した。
【００１２】
（４）  請求項４に記載の考案は、請求項１乃至請求項３いずれかに記載の荷物吊下具において、布体表面に応援対象の文字やロゴ等の応援デザインを記載して構成した。
【考案の効果】
【００１３】
上記のように構成される本考案が、如何に作用して課題を解決する効果を有するかを、図面を参照しながら概説する。
【００１４】
図６は本考案の実施状態を示すものである。本考案に係る荷物吊下具は、スタジアム等の座席１の座面に布体１０を載置し、収納部材２０を布体１０により座席の下面に吊り下げ使用するものである。この収納部材２０により手荷物を収納保管するのである。
【００１５】
かように本考案によれば、手荷物を座席の下面に収納可能となり、つまりは観戦応援の邪魔にならない形態で手荷物を保管可能となるのである。
【００１６】
更には図１に示すように布体１０の表面に応援デザインをプリントすれば、より応援気分を盛り上げ、楽しい観戦を可能とするものである。
【００１７】
また、本考案は構成要素がいずれも布状体で形成されていることから、容易に折り畳み、或るいは丸めることが可能である。それゆえ、コンパクトに収納でき携帯に便利なものとなる。
【００１８】
布体１０の裏面にはゴム片１４が取付けてある。このゴム片１４が滑り止めの役割を果たし、布体１０がずれ落ちることを防止可能となり、つまりは座り心地が損なわれることがないものである。
【００１９】
また、引用文献１に記載の発明のように座布団状の被覆体を用いるていないので、つまりは、布体１０・収納部材２０いずれも布状体であることから、本考案は丸洗い可能なものとなる。
【００２０】
また、布体１０の四隅に係止部１１を設ければ、座席面の縦方向、横方向いずれにも装着可能となるものである。
【００２１】
本考案に係る収納具は、引用文献２に記載の発明のように座席面の上にベルトを這わせるようなことがなく、つまりは平板な布体１０が座席面上に存するのみであるので、着席時に違和感がないものである。
【図面の簡単な説明】
【００２２】
【図１】応援デザインを記載した布体の正面図
【図２】布体の背面図
【図３】収納部材の正面図
【図４】請求項３記載の考案に係る布体の正面図
【図５】請求項３記載の考案に係る収納部材の正面図
【図６】実施状態を示す説明図
【考案を実施するための形態】
【００２３】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２４】
図１、図２は布体１０の正面図および背面図である。布体１０は略方形の布状体であり、四隅に係止部１１が設けてある。係止部１１は、図示される請求項２記載の考案においては紐を輪状にしたリング状部材１２として形成される。請求項３記載の考案においては、図４に示すように係止部１１は面状ファスナ１３として構成される。むろん係止部１１の構成や設ける位置などは係る限定を受けるものではなく、布体１０と収納部材２０を着脱自在に係止可能なものであれば、任意の構成、取り付け位置を採用できる。
【００２５】
布体１０の裏面には図２に示すように滑り止めのためのゴム片１４が取付けられている。図中ゴム片１４は四隅に設けられているが、むろん係る限定を受けるものではなく、布体１０がズレることを抑止可能であれば任意の取り付け位置、個数を採用できる。
【００２６】
布体１０の形状は図中いずれも方形であるが、むろん係る限定を受けるものではなく、任意の形状で構わない。また、素材はナイロン等が好ましいが、その他任意の素材を利用可能である。
【００２７】
図３は請求項２記載の考案における収納部材２０の正面図である。略方形の布状体の四隅に取り付け部２２が延設されており、該取り付け部２２先端近傍には掛止具２３設けてある。掛止具２３はホックやスナップ等を利用可能であり、収納部材２０の本体２１に設けられたホックやスナップ等の掛止具２４と嵌合掛止されるものである。掛止具２３、掛止具２４は一方が雄型、他方が雌型のものであり、嵌合させることで掛止するものである。
【００２８】
布体１０と収納部材２０の取付方法は、請求項２記載の考案においてはリング部材１２に取り付け部２２を緩挿し、掛止具２３と掛止具２４を嵌合することによる。
【００２９】
図５は請求項３に記載の考案の収納部材２０の正面図である。略方形の布状体の四隅に取り付け部２２が延設されており、該取り付け部２２先端近傍には面状ファスナ２５が設けてある。布体１０と収納部材２０の取付方法は、請求項３記載の考案においては、布体１０に設けた面状ファスナ１３と、取り付け部２２に設けた面状ファスナ２５を係合させることによる。
【００３０】
上記の収納部材２０の形状はむろん図示される方形に限定を受けるものではなく、任意の形状を採用できる。取り付け部２２の構成、取り付け位置も、布体１０と収納部材２０を着脱自在に構成することが可能であれば、任意の構成、位置を採用できる。素材も図中においてはネット素材を採用しているが、布体を採用しても構わない。
【００３１】
請求４記載の考案においては、図１に示すように布体１０の正面側に応援デザイン１５がプリントされている。
【符号の説明】
【００３２】
１０・・布体          １１・・係止部      １２・・リング状部材
１３・・面状ファスナ  １４・・ゴム片      １５・・応援デザイン
２０・・収納部材      ２１・・本体        ２２・・取り付け部      
２３・・掛止具        ２４・・掛止具      ２５・・面状ファスナ
【図１】
0003183643.tif 000003
【図２】
0003183643.tif 000004
【図３】
0003183643.tif 000005
【図４】
0003183643.tif 000006
【図５】
0003183643.tif 000007
【図６】
0003183643.tif 000008